(57)【要約】【課題】利用者の電子機器から送られる注文情報を適切な順番で受注するオーダシステム等を提供する。【解決手段】。  メニューボードは、注文情報等を受信すると（ステップＳ４１）、受信した注文情報及びナンバープレート情報を組にして記憶部に記憶する（ステップＳ４２）。そして、車両を検出すると（ステップＳ４３）、車両の画像を取得し、ナンバープレート情報を認識する（ステップＳ４４）。メニューボードは、記憶部に記憶された複数の注文情報とナンバープレート情報との組から、認識したナンバープレート情報と一致するナンバープレート情報の組を特定し、一致した注文情報等を受注用コンピュータに供給する（ステップＳ４５）。【選択図】図４
2006190310.tif 000002
【特許請求の範囲】
【請求項１】
車両に搭載された所定の電子機器から送られる注文情報及び識別情報を受信する受信手段と、
前記受信手段が受信した注文情報及び識別情報を組にして順次記憶する記憶手段と、
車両の接近を検出する検出手段と、
前記検出手段により車両の接近が検出されると、車両を識別するための識別情報を取得する識別情報取得手段と、
前記記憶手段に記憶される注文情報及び識別情報の組から、前記識別情報取得手段が取得した識別情報と等しい識別情報に対応する注文情報を特定する特定手段と、
前記特定手段により特定された注文情報の順番に従って、複数の車両の各電子機器から送られた注文情報を順次受注する受注手段と、
を備えることを特徴とするオーダシステム。
【請求項２】
請求項１に記載のオーダシステムに用いる電子機器であって、
登録された識別情報を記憶する記憶手段と、
利用者の操作に従って、注文情報を生成する生成手段と、
前記送信手段から送られる無線信号の受信を判別する判別手段と、
前記判別手段が無線信号の受信を判別すると、前記生成手段により生成された注文情報及び前記記憶手段に記憶された識別情報を、前記受信手段に向けて送信する車両側送信手段と、
を備えることを特徴とする電子機器。
【請求項３】
無線部、制御部、車両センサ、画像認識部、及び、コンピュータを用いるオーダエントリ方法であって、
前記無線部によって、車両に搭載された所定の電子機器から送られる注文情報及び識別情報を受信する受信ステップと、
前記制御部によって、前記受信ステップにて受信された注文情報及び識別情報を組にして所定の記憶部に順次格納する格納ステップと、
前記車両センサによって、車両の接近を検出する検出ステップと、
前記検出ステップにて車両の接近が検出されると、前記画像認識部によって、車両を識別するための識別情報を取得する識別情報取得ステップと、
前記制御部によって、前記格納ステップにて記憶部に格納された注文情報及び識別情報の組から、前記識別情報取得ステップにて取得された識別情報と等しい識別情報に対応する注文情報を特定する特定ステップと、
前記コンピュータによって、前記特定ステップにて特定された注文情報の順番に従って、複数の車両の各電子機器から送られた注文情報を順次受注する受注ステップと、
を備えることを特徴とするオーダエントリ方法。
【発明の詳細な説明】
【技術分野】
【０００１】
この発明は、オーダシステムおよびこれに用いる電子機器、オーダエントリ方法に関する。
【背景技術】
【０００２】
従来より、ファーストフード店等の外食産業において、ドライブスルーが採用されている。このドライブスルーでは、利用者が、車両から降りることなく、商品の注文、会計及び、商品の受取ができるようになっている。
このようなドライブスルーには、店側の作業の効率化等のために所定のオーダシステムが導入されており、利用者の注文及び会計等が適切に管理されている。
【０００３】
以下、従来のオーダシステムの一例について、簡単に説明する。
従来のオーダシステムは、例えば、マイク及びスピーカが埋設されたメニューボードと、注文情報を入力するオーダ端末と、注文情報を表示する表示端末と、注文情報に従って会計を行うキャッシャ（レジスタ等）とから構成される。
【０００４】
利用者は、車両をメニューボードの前に移動させ、メニューボードのマイク及びスピーカを介して店員と会話を交わすことにより、所望の商品の注文を行う。注文後、利用者は、メニューボードを通過して、所定の会計窓口に車両を進める。
一方、店員は、メニューボードのマイクから入力される利用者の注文内容を聞き取り、その内容を注文情報としてオーダ端末に入力する。オーダ端末にて入力された注文情報は、表示端末及びキャッシャに送られる。
【０００５】
表示端末は、厨房の調理人が見ることのできる位置に配置され、オーダ端末から送られた注文情報を表示する。
そして、調理人は、表示端末に表示される注文情報に従って、注文された商品を調理し、調理の完成した商品を袋詰めにする。袋詰めにされた商品は、会計窓口のレジ店員に渡される。
【０００６】
キャッシャは、オーダ端末から送られた注文情報を蓄積し、レジ店員の操作を待機する。
そして、レジ店員は、会計窓口にて、注文の商品を利用者に引き渡すと共に、その代金を受け取る。レジ店員は、キャッシャを操作して金銭を格納し、キャッシャに会計処理を指示する。
【０００７】
このようなオーダシステムにより、利用者の注文を受けた後に、商品の調理、引き渡し及び会計等の作業を効率よく行うことができる。
【０００８】
ところで、近年、様々な業種において電子マネー取引に代表されるような電子決済（電子商取引）を導入しようとする動きがある。
ドライブスルーにおいても、一般に、代金の支払い時における金銭の授受に多くの時間が掛かり、利用者（顧客）の回転率等に悪影響を及ぼしていることから、電子決済の導入が望まれている。
【０００９】
以下、電子決済が導入されたとした場合に予想されるオーダシステムの一例について、簡単に説明する。
予想されるオーダシステムは、注文情報を受信するオーダ受信端末と、注文情報を表示する表示端末と、注文情報及び決済情報に従って電子決済を行う決済端末とから構成される。
【００１０】
利用者は、電子決済の機能を備えた電子機器（例えば、カーナビゲーション等）を操作して、車内から所望の商品の注文を行う。
例えば、電子機器は、表示部に注文画面を表示すると共に、操作部から利用者が選択した商品及び個数等を特定する。電子機器は、特定した商品及び個数等に従って注文情報を生成し、生成した注文情報を無線送信部を介して、オーダシステムのオーダ受信端末に向けて送信する。
【００１１】
一方、オーダシステム側は、オーダ受信端末にて、利用者の電子機器から送られた注文情報を受信する。オーダ受信端末は、受信した注文情報を表示端末及び決済端末に供給する。
調理人は、表示端末に表示される注文情報に従って、注文された商品を調理し、調理の完成した商品を袋詰めにする。袋詰めにされた商品は、決済窓口のレジ店員に渡される。
決済端末は、オーダ受信端末から送られた注文情報を蓄積し、レジ店員の操作を待機する。
そして、レジ店員は、決済窓口にて、商品を利用者に引き渡すと共に、決済端末を操作して利用者の電子機器から決済情報を取得する。最後に、決済端末は、これら注文情報及び決済情報に従って電子決済を行う。
【発明の開示】
【発明が解決しようとする課題】
【００１２】
しかしながら、上述の予想されるオーダシステムにおいて、以下のような不都合が挙げられる。
具体的には、オーダ受信端末にて注文情報を受けた順番と、決済窓口にて商品を待つ利用者（車両）の順番が一致しないことが十分に予想され、調理人とレジ店員等との間で混乱が生じてしまうという不都合である。
【００１３】
すなわち、オーダ受信端末では、複数の利用者の各電子機器から送られる注文情報を順次受信してしまうが、この順番通りに、利用者の車両が決済窓口に到着するとは限らない。
このため、いくら調理人が表示端末に表示された注文情報の順番に、調理した商品をレジ店員に渡したとしても、実際に商品を受け取るために決済窓口に並んだ利用者（車両）の順番が異なる場合に、商品をそのまま渡すことができずに、混乱が生じてしまう。
【００１４】
この発明は、上記実状に鑑みてなされたもので、利用者の電子機器から送られる注文情報を適切な順番で受注することのできるオーダシステムおよびこれに用いる電子機器、オーダエントリ方法を提供することを目的とする。
【課題を解決するための手段】
【００１５】
上記目的を達成するため、本発明の第１の観点に係るオーダシステムは、
車両に搭載された所定の電子機器から送られる注文情報及び識別情報を受信する受信手段と、
前記受信手段が受信した注文情報及び識別情報を組にして順次記憶する記憶手段と、
車両の接近を検出する検出手段と、
前記検出手段により車両の接近が検出されると、車両を識別するための識別情報を取得する識別情報取得手段と、
前記記憶手段に記憶される注文情報及び識別情報の組から、前記識別情報取得手段が取得した識別情報と等しい識別情報に対応する注文情報を特定する特定手段と、
前記特定手段により特定された注文情報の順番に従って、複数の車両の各電子機器から送られた注文情報を順次受注する受注手段と、
を備えることを特徴とする。
【００１６】
上記目的を達成するため、本発明の第２の観点に係る電子機器は、
請求項１に記載のオーダシステムに用いる電子機器であって、
登録された識別情報を記憶する記憶手段と、
利用者の操作に従って、注文情報を生成する生成手段と、
前記送信手段から送られる無線信号の受信を判別する判別手段と、
前記判別手段が無線信号の受信を判別すると、前記生成手段により生成された注文情報及び前記記憶手段に記憶された識別情報を、前記受信手段に向けて送信する車両側送信手段と、
を備えることを特徴とする。
【００１７】
上記目的を達成するため、本発明の第３の観点に係るオーダエントリ方法は、
無線部、制御部、車両センサ、画像認識部、及び、コンピュータを用いるオーダエントリ方法であって、
前記無線部によって、車両に搭載された所定の電子機器から送られる注文情報及び識別情報を受信する受信ステップと、
前記制御部によって、前記受信ステップにて受信された注文情報及び識別情報を組にして所定の記憶部に順次格納する格納ステップと、
前記車両センサによって、車両の接近を検出する検出ステップと、
前記検出ステップにて車両の接近が検出されると、前記画像認識部によって、車両を識別するための識別情報を取得する識別情報取得ステップと、
前記制御部によって、前記格納ステップにて記憶部に格納された注文情報及び識別情報の組から、前記識別情報取得ステップにて取得された識別情報と等しい識別情報に対応する注文情報を特定する特定ステップと、
前記コンピュータによって、前記特定ステップにて特定された注文情報の順番に従って、複数の車両の各電子機器から送られた注文情報を順次受注する受注ステップと、
を備えることを特徴とする。
【発明の効果】
【００１８】
本発明によれば、利用者の電子機器から送られる注文情報を適切な順番で受注することができる。
【発明を実施するための最良の形態】
【００１９】
本発明の実施の形態にかかるオーダシステムについて、以下図面を参照して説明する。このオーダシステムは、例えば、ファーストフード店等のドライブスルーにて適用される。
【００２０】
図１は、この発明の実施の形態に適用されるオーダシステムの構成の一例を示すブロック図である。図１に示すオーダシステム１は、利用者の車両２に搭載された電子機器２１から送られる注文情報及び決済情報等を管理するシステムであり、メニューボード１１と、受注用コンピュータ１２と、厨房用コンピュータ１３と、決済用コンピュータ１４とから構成される。
なお、電子機器２１は、電子決済の機能を備えた例えば、カーナビゲーション等からなる。具体的に電子機器２１は、表示部、操作部、記憶部、無線通信部、及び、各部を制御する制御部等を備え、後述するメニューボード１１の無線部１１ｂに向けて注文情報等を送信する。
【００２１】
メニューボード１１は、利用者の運転する車両２が通る専用車道に面して配置され、マイクやスピーカの他に、少なくとも、車両センサ１１ａ及び無線部１１ｂを備えている。
【００２２】
車両センサ１１ａは、例えば、照射した音波の反射波等から、メニューボード１１に接近する車両を検出する。車両センサ１１ａは、車両を検出すると、無線部１１ｂに車両の検出を示す信号を供給する。
無線部１１ｂは、メニューボード１１から極めて近い限られた範囲にまでしか届かない電波（狭域無線電波）の送受信ユニット等からなり、例えば、メニューボード１１の正面に位置する車両２（電子機器２１）との間だけで所定の情報を送受信する。
【００２３】
具体的にメニューボード１１は、車両センサ１１ａにてメニューボード１１に接近する車両２を検出すると、無線部１１ｂから狭域無線電波を出力し、メニューボード１１の極めて近い範囲に位置する車両２の電子機器２１から送られる注文情報を受信する。そして、メニューボード１１は、無線部１１ｂにて受信した注文情報を受注用コンピュータ１２に供給する。
【００２４】
受注用コンピュータ１２は、メニューボード１１から送られた注文情報を取得する。
また、受注用コンピュータ１２は、電子機器２１を備えていない車両２の利用者が、メニューボード１１のマイクを介して口頭にて注文した場合に、注文内容を聞いた店員が操作部を介して入力した注文情報を取得する。
受注用コンピュータ１２は、取得したこれらの注文情報を取得した順番に所定の記憶部に格納する。
なお、受注用コンピュータ１２は、厨房用コンピュータ１３及び決済用コンピュータ１４とＬＡＮ１５を介して接続されている。そして、受注用コンピュータ１２は、受信等した注文情報を、厨房用コンピュータ１３及び決済用コンピュータ１４に供給する。
【００２５】
厨房用コンピュータ１３は、所定の表示部を備えており、厨房の調理人が見ることのできる位置に配置される。厨房用コンピュータ１３は、受注用コンピュータ１２から送られた注文情報をその表示部に表示する。
【００２６】
決済用コンピュータ１４は、車両２の利用者に商品を引き渡す窓口（決済窓口）に配置され、レジ店員により操作される。決済用コンピュータ１４は、受注用コンピュータ１２から送られる注文情報を取得し、また、レジ店員の操作に従って、車両２の電子機器２１から決済情報を取得する。
決済用コンピュータ１４は、取得した注文情報及び決済情報に従って電子決済を行う。なお、決済用コンピュータ１４は、所定の通信回線を介して図示せぬ電子決済管理ホスト等と接続されている。
【００２７】
以下、この発明の実施の形態に係るオーダシステム１の動作について図２を参照して説明する。
図２は、車両２の電子機器２１にて実行される注文情報送信処理と、メニューボード１１にて実行されるオーダエントリ処理とを説明するためのフローチャートである。
なお、注文情報送信処理は、ドライブスルーを利用しようとする利用者による電子機器２１の操作に応答して、開始される。
【００２８】
まず、電子機器２１は、利用者の操作に従って、注文情報を生成する（ステップＳ１１）。
例えば、電子機器２１は、自己の表示部に商品の一覧等の画面を表示し、操作部を介して利用者により選択された商品及び個数等を特定する。そして、特定した商品及び個数等に従って、注文情報を生成し、自己の記憶部に格納する。
電子機器２１は、メニューボード１１から発せられる狭域無線電波を受信するまで、後続処理の実行を待機する（ステップＳ１２）。
【００２９】
一方、メニューボード１１は、車両センサ１１ａにて車両２を検出するまで処理を待機する（ステップＳ２１）。
そして、メニューボード１１は、車両２を検出すると、無線部１１ｂから狭域無線電波を車両２に向けて送信する（ステップＳ２２）。
すなわち、メニューボード１１は、車両センサ１１ａにて車両２を検出すると、メニューボード１１の極めて近い限られた範囲にまでしか届かない電波を車両２に向けて送信する。
【００３０】
メニューボード１１は、電子機器２１から送られる注文情報を受信するまで、後続の処理を待機する（ステップＳ２３）。なお、例えば、車両２がメニューボード１１の正面にまで進むと、無線部１１ｂから送られる狭域無線電波が電子機器２１にて受信可能となる。
【００３１】
車両２の電子機器２１は、狭域無線電波を受信したと判別すると、ステップＳ１１にて生成した注文情報を、メニューボード１１に向けて送信する（ステップＳ１３）。
なお、車両２は、注文した商品を受け取るために、そのまま決済窓口に進む。
【００３２】
一方、メニューボード１１は、電子機器２１から送られる注文情報を受信したと判別すると、受信した注文情報を受注用コンピュータ１２に供給する（ステップＳ２４）。なお、メニューボード１１は、電子機器２１から送られた注文情報を受信すると、無線部１１ｂにて出力していた狭域無線電波の送信を停止する。
【００３３】
このように、メニューボード１１にて、狭域無線電波に応答した電子機器２１から送られる注文情報が受信され、この注文情報が受注用コンピュータ１２に供給される。すなわち、メニューボード１１前を通過する各車両２から取得した注文情報が順番に受注用コンピュータ１２に供給される。
【００３４】
以降、受注用コンピュータ１２は、取得した注文情報を厨房用コンピュータ１３及び決済用コンピュータ１４に供給する。
厨房の調理人は、厨房用コンピュータ１３の表示部に表示される注文情報に従って、注文された商品を調理し、調理の完成した商品を袋詰めにする。袋詰めにされた商品は、決済窓口のレジ店員に渡される。
決済用コンピュータ１４は、受注用コンピュータ１２から送られた注文情報を蓄積し、レジ店員の操作を待機する。
そして、レジ店員は、決済窓口にて、商品を利用者に引き渡すと共に、決済用コンピュータ１４を操作して、対応する車両２の電子機器２１から決済情報を取得する。
決済用コンピュータ１４は、これら注文情報及び決済情報に従って電子決済を行う。
【００３５】
この際、メニューボード１１前を通過した車両２は、そのまま決済窓口に進むため、メニューボード１１を介して受注用コンピュータ１２にて注文情報を受けた順番と、決済窓口にて商品を待つ利用者（車両２）の順番が一致する。
このため、調理人が厨房用コンピュータ１３の表示部に表示された注文情報の順番に、調理した商品をレジ店員に渡すだけで、実際に商品を受け取るために決済窓口に並んだ利用者（車両２）の順番が同じであるため、商品をそのまま渡すことができ、混乱が生じることがない。
このように、図１に示すオーダシステム１は、利用者が運転する車両２（電子機器２１）から送られる注文情報を適切な順番で受注することができる。
【００３６】
なお、電子機器２１を備えていない車両２の利用者が、メニューボード１１のマイクを介して口頭にて注文した場合に、注文内容を聞いた店員が受注用コンピュータ１２の操作部を介して注文情報を入力することとなる。この場合も、電子機器２１から送られた（メニューボード１１から送られた）注文情報と等しく、受注用コンピュータ１２にて受注される。
すなわち、この場合も同様に、受注用コンピュータ１２にて注文情報を受けた順番と、決済窓口にて商品を待つ利用者（車両２）の順番が一致することとなる。
【００３７】
上記の実施の形態では、狭域無線電波を使用して、メニューボード１１から極めて近い限られた範囲にまで車両２が移動した際に、メニューボード１１にて電子機器２１から送られる注文情報を受信したが、より広範囲に位置する電子機器２１から送られる注文情報を受信してもよい。そして、メニューボード１１から受注用コンピュータ１２に供給するタイミングを調整してもよい。
以下、メニューボード１１にて、より広範囲にて電子機器２１から送られる注文情報を受信し、実際に車両２がメニューボード１１前を通過した際に、注文情報を受注用コンピュータ１２に供給するこの発明の他の実施の形態に係るオーダシステムについて、図面を参照して説明する。
【００３８】
図３は、この発明の他の実施の形態に適用されるオーダシステム１におけるメニューボード１１の構成の一例を示すブロック図である。なお、この図３に示すメニューボード１１以外の構成は、図１に示すオーダシステム１と同じ構成である。
【００３９】
図３に示すメニューボード１１は、図１に示すメニューボード１１の構成（車両センサ１１ａ及び、無線部１１ｂ）に加え、記憶部１１ｃ及び、画像認識部１１ｄを更に備える。
なお、無線部１１ｂは、メニューボード１１から所定の範囲内（例えば、メニューボード１１を中心として半径１００メートルの範囲内）に位置する車両２の電子機器２１から送られる注文情報を受信することができる。
また、無線部１１ｂは、注文情報と共に、電子機器２１から送られるナンバープレート番号を示すナンバープレート情報も受信する。
【００４０】
記憶部１１ｃは、無線部１１ｂにて受信した注文情報及びナンバープレート情報を組にして順次記憶する。
画像認識部１１ｄは、撮像ユニット及び画像処理ユニット等からなり、車両２のナンバープレートを含む画像を撮像し、撮像した画像からナンバープレート番号を示すナンバープレート情報を認識する。
【００４１】
なお、メニューボード１１には、車両センサ１１ａ〜画像認識部１１ｄを制御する制御部も含まれているものとする。例えば、記憶部１１ｃは、制御部に制御されて、注文情報及びナンバープレート情報を組にして順次記憶する。また、制御部は、画像認識部１１ｄを制御してナンバープレート情報を認識させると共に、認識したナンバープレート情報に基づいて、記憶部１１ｃを検索し、対応するナンバープレート情報と注文情報との組みを特定する。
【００４２】
以下、この発明の他の実施の形態に係るオーダシステム１の動作について図４等を参照して説明する。
図４は、車両２の電子機器２１にて実行される注文情報送信処理と、メニューボード１１にて実行されるオーダエントリ処理とを説明するためのフローチャートである。
なお、注文情報送信処理は、ドライブスルーを利用しようとする利用者による電子機器２１の操作に応答して、開始される。
【００４３】
まず、電子機器２１は、利用者の操作に従って、注文情報を生成する（ステップＳ３１）。例えば、電子機器２１は、上記の実施形態と同様に、自己の表示部に商品の一覧等の画面を表示し、操作部を介して利用者により選択された商品及び個数等に従って、注文情報を生成すると、自己の記憶部に格納する。そして、電子機器２１は、メニューボード１１から発せられる無線電波を受信するまで、待機する。
車両２がメニューボード１１を中心とした所定の範囲内（例えば、メニューボード１１から発せられる無線電波を受信でき、メニューボード１１との通信が可能となる範囲内）に移動すると、電子機器２１は、メニューボード１１に向けて注文情報及びナンバープレート情報を送信する（ステップＳ３２）。なお、ナンバープレート情報は、電子機器２１に予め登録されているものとする。
【００４４】
一方、メニューボード１１は、電子機器２１から送られる注文情報等を受信するまで後続の処理を待機する（ステップＳ４１）。
メニューボード１１は、注文情報等を受信したと判別すると、受信した注文情報及びナンバープレート情報を組にして記憶部１１ｃに記憶する（ステップＳ４２）。
すなわち、メニューボード１１は、図５（ａ）に示すように、注文情報（Order A等）及びナンバープレート情報（Car A等）を組にして、記憶部１１ｃに順次記憶する。
【００４５】
メニューボード１１は、車両センサ１１ａにて近傍に接近する車両２を検出するまで後続の処理を待機する（ステップＳ４３）。
そして、メニューボード１１は、車両２を検出すると、車両２の画像を取得し、ナンバープレート情報を認識する（ステップＳ４４）。すなわち、メニューボード１１は、車両２のナンバープレートを含む画像を撮像し、撮像した画像からナンバープレート情報を認識する。
【００４６】
メニューボード１１は、記憶部１１ｃに記憶された複数の注文情報とナンバープレート情報との組から、ステップＳ４４にて認識したナンバープレート情報と一致するナンバープレート情報の組を特定し、一致した注文情報等を受注用コンピュータ１２に供給する（ステップＳ４５）。
すなわち、メニューボード１１前を実際に通過する車両２のナンバープレート情報が一致する注文情報等が受注用コンピュータ１２に供給される。
【００４７】
例えば、メニューボード１１にて受信した注文情報等が、図５（ａ）に示す順番（Order A-Car A,Order B-Car B,Order C-Car C,・・・）に、記憶部１１ｃに記憶されている場合で、実際に、メニューボード１１前を「Car B,Car A,Car C,・・・」の順番に車両２が通過したとする。この場合、受注用コンピュータ１２には、メニューボード１１から図５（ｂ）に示す順番（Order B-Car B,Order A-Car A,Order C-Car C,・・・）に、注文情報等が供給される。
【００４８】
以降、受注用コンピュータ１２は、上述した実施の形態と同様に、図５（ｂ）に示す順番に注文情報等を厨房用コンピュータ１３及び決済用コンピュータ１４に供給する。
このため、メニューボード１１を介して受注用コンピュータ１２にて注文情報を受けた順番と、決済窓口にて商品を待つ利用者（車両２）の順番が一致することとなる。
【００４９】
上記の他の実施の形態では、メニューボード１１の記憶部１１ｃにて電子機器２１から送られた注文情報及びナンバープレート情報を記憶したが、これら注文情報等を記憶する場所は、メニューボード１１内に限られるものではない。例えば、受注用コンピュータ１２内にて、仮の注文情報等として記憶してもよい。
なお、注文情報と共に記憶する情報は、ナンバープレート情報に限られるものではない。つまり、車両２若しくは電子機器２１を識別することができる識別情報であれば、任意である。
【００５０】
また、メニューボード１１と電子機器２１との間の無線方式は、任意である。例えば、ブルートゥース（Bluetooth）や、ＩｒＤＡ（Infrared Data Association）等であってもよい。
【００５１】
以上説明したように、本発明によれば、利用者の電子機器から送られる注文情報を適切な順番で受注することができる。
【図面の簡単な説明】
【００５２】
【図１】本発明の実施の形態に係るオーダシステムの一例を示すブロック図である。
【図２】本発明の実施の形態に係るオーダエントリ処理等を説明するためのフローチャートである。
【図３】本発明の他の実施の形態に係るオーダシステムにおけるメニューボードの構成の一例を示すブロック図である。
【図４】本発明の他の実施の形態に係るオーダエントリ処理等を説明するためのフローチャートである。
【図５】（ａ）がメニューボードの記憶部に記憶される注文情報等の一例を示す模式図であり、（ｂ）が受注用コンピュータに供給される注文情報等の一例を示す模式図である。
【符号の説明】
【００５３】
１    オーダシステム
２    車両
１１  メニューボード
１１ａ  車両センサ
１１ｂ  無線部
１１ｃ  記憶部
１１ｄ  画像認識部
１２  受注用コンピュータ
１３  厨房用コンピュータ
１４  決済用コンピュータ
２１  電子機器
【図１】
2006190310.tif 000003
【図２】
2006190310.tif 000004
【図３】
2006190310.tif 000005
【図４】
2006190310.tif 000006
【図５】
2006190310.tif 000007